(57)【要約】  本開示は、電子機器、無線通信方法及びコンピュータ読み取り可能な記録媒体に関する。一実施例によれば、基地局側に用いられる電子機器は処理回路を含む。処理回路は、二つ又は二つよりも多い送受信ポイントを介して多入力多出力伝送を行い、ユーザ機器に指示情報を送信するように、制御するように配置される。当該指示情報は、二つ又は二つよりも多い送受信ポイントを介して伝送される空間多重化層とコードワードとの間のマッピングスキームに関連する。
2021507599.tif 000002
【特許請求の範囲】
【請求項１】
処理回路を含む基地局側に用いられる電子機器であって、
前記処理回路は、
二つ又は二つよりも多い送受信ポイントを介して多入力多出力伝送を行い、
ユーザ機器に、前記二つ又は二つよりも多い送受信ポイントを介して伝送される空間多重化層とコードワードとの間のマッピングスキームに関連する指示情報を送信するように制御するように配置されている、電子機器。
【請求項２】
前記マッピングスキームは、第１のスキームと第２のスキームとから選択され、
前記第１のスキームでは、空間多重化層とコードワードとの間に所定のマッピング方式を有し、
前記第２のスキームでは、空間多重化層とコードワードとの間のマッピングが送受信ポイント又はダウンリンクチャネル状態に基づいて確定される請求項１に記載の電子機器。
【請求項３】
前記マッピングスキームは、同一の送受信ポイントを介して伝送される空間多重化層を同一のコードワードに対応させることを含む請求項１に記載の電子機器。
【請求項４】
前記処理回路は、
複数の物理ダウンリンク共有チャネルのそれぞれに対して、前記第１のスキームと前記第２のスキームとから当該物理ダウンリンク共有チャネルに用いられるマッピングスキームを確定するように配置される請求項２に記載の電子機器。
【請求項５】
前記二つ又は二つよりも多い送受信ポイントは、同一の送受信ポイント装置における非コヒーレント伝送を行う二つ又は二つよりも多いアンテナプレートを含む請求項１〜４のいずれか一項に記載の電子機器。
【請求項６】
前記指示情報は、無線リソース制御シグナリング、媒体アクセス制御−制御要素シグナリング、物理層動的シグナリング、及びブロードキャストメッセージのうちの少なくとも一つにより送信される請求項１〜４のいずれか一項に記載の電子機器。
【請求項７】
前記物理層動的シグナリングは、ダウンリンク制御情報ＤＣＩを含み、且つ、前記ブロードキャストメッセージは、物理ブロードキャストチャネルを介して送信されるシステム通知を含む請求項６に記載の電子機器。
【請求項８】
基地局側に用いられる無線通信方法であって、
二つ又は二つよりも多い送受信ポイントを介して多入力多出力伝送を行いことと、
ユーザ機器に、前記二つ又は二つよりも多い送受信ポイントを介して伝送される空間多重化層とコードワードとの間のマッピングスキームに関連する指示情報を送信することと
を含む無線通信方法。
【請求項９】
処理回路を含むユーザ装置用の電子機器であって、
前記処理回路は、
基地局による二つ又は二つよりも多い送受信ポイントを介した多入力多出力伝送を受信し、
前記基地局から、前記二つ又は二つよりも多い送受信ポイントを介して伝送される空間多重化層とコードワードとの間のマッピングスキームに関連する指示情報を受信するように、制御するように配置されている、電子機器。
【請求項１０】
ユーザ装置に用いられる無線通信方法であって、
基地局による二つ又は二つよりも多い送受信ポイントを介した多入力多出力伝送を受信することと、
前記基地局から、前記二つ又は二つよりも多い送受信ポイントを介して伝送される空間多重化層とコードワードとの間のマッピングスキームに関連する指示情報を受信することとを含む無線通信方法。
【請求項１１】
処理回路を含む基地局側に用いられる電子機器であって、
前記処理回路は、
二つ又は二つよりも多い送受信ポイントを介して多入力多出力伝送を行い、
ユーザ装置から、前記二つ又は二つよりも多い送受信ポイントを介して伝送される空間多重化層とコードワードとの間のマッピングスキームに関連する指示情報を受信するように、制御するように配置されている、電子機器。
【請求項１２】
基地局側に用いられる無線通信方法であって、
二つ又は二つよりも多い送受信ポイントを介して多入力多出力伝送を行うことと、
ユーザ装置から、前記二つ又は二つよりも多い送受信ポイントを介して伝送される空間多重化層とコードワードとの間のマッピングスキームに関連する指示情報を受信することとを含む、無線通信方法。
【請求項１３】
処理回路を含むユーザ装置側に用いられる電子機器であって、
前記処理回路は、
基地局による二つ又は二つよりも多い送受信ポイントを介した多入力多出力伝送を受信するように、制御し、
前記多入力多出力伝送のダウンリンクチャネル状態に基づいて、前記二つ又は二つよりも多い送受信ポイントを介して伝送される空間多重化層とコードワードとの間のマッピングスキームを確定し、
前記基地局に、前記マッピングスキームに関する指示情報を送信するように、制御するように配置される電子機器。
【請求項１４】
前記マッピングスキームは、類似しているチャネル品質を有する空間多重化層を、同一のコードワードにマッピングするように確定される請求項１３に記載の電子機器。
【請求項１５】
同一のコードワードにマッピングされた空間多重化層は、異なる送受信ポイントの空間多重化層を含む請求項１４に記載の電子機器。
【請求項１６】
前記指示情報は、前記二つ又は二つよりも多い送受信ポイントの各々についてのランクインデックスを含む請求項１３〜１５のいずれか一項に記載の電子機器。
【請求項１７】
前記指示情報はビットマップをさらに含み、前記ビットマップの長さは前記二つ又は二つよりも多い送受信ポイントのランクインデックスの和である請求項１６に記載の電子機器。
【請求項１８】
ユーザ装置側に用いられる無線通信方法であって、
基地局による二つ又は二つよりも多い送受信ポイントを介した多入力多出力伝送を受信することと、
前記多入力多出力伝送のダウンリンクチャネル状態に基づいて、前記二つ又は二つよりも多い送受信ポイントを介して伝送される空間多重化層とコードワードとの間のマッピングスキームを確定することと、
前記基地局に前記マッピングスキームに関する指示情報を送信することと
を含む無線通信方法。
【請求項１９】
情報処理装置により実行されると、請求項８、１０、１２又は１８に記載の方法を前記情報処理装置に実行させる実行可能な命令を含む、コンピュータ読み取り可能な記録媒体。
【発明の詳細な説明】
【技術分野】
【０００１】
本開示は、一般に、無線通信分野に関し、より具体的に、基地局側に用いられる電子機器と無線通信方法、ユーザ装置側に用いられる電子機器と無線通信方法、及びコンピュータ読み取り可能な記録媒体に関する。
【背景技術】
【０００２】
多入力多出力(ＭＩＭＯ)技術では、ダウンリンク伝送の事前符号化を例にして、トランスポートブロック(ｔｒａｎｓｐｏｒｔ  ｂｌｏｃｋ、ＴＢ)に対応する変調シンボルは、最初に複数の空間多重化層(Ｓｐａｔｉａｌ  Ｍｕｌｔｉｐｌｅｘｉｎｇ  Ｌａｙｅｒ、ここで層とも略称し得る)  にマッピングされる。トランスポートブロックとコードワード  (Ｃｏｄｅ  Ｗｏｒｄ、ＣＷ)  とが１対１に対応し、一つのコードワードは一つの伝送時間間隔(ＴＴＩ)において送信される巡回冗長検査(ＣＲＣ)ビットを含んで符号化(Ｅｎｃｏｄｉｎｇ)及びレートマッチング(Ｒａｔｅ  ｍａｔｃｈｉｎｇ)が行われた、独立したトランスポートブロックである。一般に、コードワードはＣＲＣを持っているトランスポートブロックである(ここで、コードワードとトランスポートブロックとは交換可能である)。
【０００３】
コードワードから層へのマッピングとは、伝送のために一つの又は二つのコードワードを複数の並列空間多重化層にマッピングし、ユーザ装置(ＵＥ)に対して空分多重化伝送を行うために用いられることを指す。図９の模式図に示すデータストリーム１とデータストリーム２とは、二つの層に対応すると理解してもよい。基地局は、１グループの物理アンテナを介して同じな時間周波数リソースでデータストリーム１とデータストリーム２とをＵＥに送信し、その後、ＵＥは、例えば、受信機、及びデジタルシグナルプロセッサー(ＤＳＰ)によりデータストリーム１とデータストリーム２とに復元する。図１０は、コードワードの変調シンボルが複数の層(示例では、四つの層)にマッピングされる場合の模式図を示している。示例では、コードワードＣＷ０における変調シンボルは層０、層１、層２、層３にそれぞれマッピングされる。
【０００４】
従来の新無線（ＮＲ）システムでは、固定したコードワードと空間多重化層との間のマッピング関係が存在する。
【発明の概要】
【課題を解決するための手段】
【０００５】
以下では、本発明に関する簡単な概説を説明して、本発明のいくつかの側面に関する基本的理解を提供する。この概説が本発明に関する取り尽くし的概説ではないと理解すべきである。それは、本発明の肝心又は重要部分を意図的に特定するものではなく、本発明の範囲を意図的に限定するものでもない。その目的は、簡素化の形式で、いくつかの概念を提供して、後に論述するより詳しい技術の前言とするものである。
【０００６】
一実施例によれば、処理回路を含む基地局側に用いられる電子機器を提供する。処理回路は、二つ又は二つよりも多い送受信ポイント(ＴＲＰ、Ｔｘ／Ｒｘ  Ｐｏｉｎｔ)を介して多入力多出力伝送を行い、ユーザ機器に指示情報を送信するように、制御するように配置される。当該指示情報は、二つ又は二つよりも多い送受信ポイントを介して伝送される空間多重化層とコードワードとの間のマッピングスキームに関連する。
【０００７】
他の一実施例によれば、基地局側に用いられる無線通信方法を提供し、二つ又は二つよりも多い送受信ポイントを介して多入力多出力伝送を行うステップと、ユーザ機器に指示情報を送信するステップとを含む。当該指示情報は、二つ又は二つよりも多い送受信ポイントを介して伝送される空間多重化層とコードワードとの間のマッピングスキームに関連する。
【０００８】
他の一実施例によれば、処理回路を含むユーザ装置用の電子機器を提供する。処理回路は、基地局による二つ又は二つよりも多い送受信ポイントを介した多入力多出力伝送を受信し、基地局から指示情報を受信するように、制御するように配置される。当該指示情報は、二つ又は二つよりも多い送受信ポイントを介して伝送される空間多重化層とコードワードとの間のマッピングスキームに関連する。
【０００９】
他の一実施例によれば、ユーザ装置に用いられる無線通信方法を提供し、基地局による二つ又は二つよりも多い送受信ポイントを介した多入力多出力伝送を受信するステップと、基地局から指示情報を受信するステップとを含む。当該指示情報は、二つ又は二つよりも多い送受信ポイントを介して伝送される空間多重化層とコードワードとの間のマッピングスキームに関連する。
【００１０】
他の一実施例によれば、処理回路を含む基地局側に用いられる電子機器を提供する。処理回路は、二つ又は二つよりも多い送受信ポイントを介して多入力多出力伝送を行い、ユーザ装置から指示情報を受信するように、制御するように配置される。当該指示情報は、二つ又は二つよりも多い送受信ポイントを介して伝送される空間多重化層とコードワードとの間のマッピングスキームに関連する。
【００１１】
他の一実施例によれば、基地局側に用いられる無線通信方法を提供し、二つ又は二つよりも多い送受信ポイントを介して多入力多出力伝送を行うステップと、ユーザ装置から指示情報を受信するステップとを含む。当該指示情報は、二つ又は二つよりも多い送受信ポイントを介して伝送される空間多重化層とコードワードとの間のマッピングスキームに関連する。
【００１２】
他の一実施例によれば、処理回路を含むユーザ装置側に用いられる電子機器を提供する。処理回路は、基地局による二つ又は二つよりも多い送受信ポイントを介した多入力多出力伝送を受信するように、制御し、多入力多出力伝送のダウンリンクチャネル状態に基づいて、二つ又は二つよりも多い送受信ポイントを介して伝送される空間多重化層とコードワードとの間のマッピングスキームを確定し、基地局に、マッピングスキームに関する指示情報を送信するように、制御するように配置される。
【００１３】
他の一実施例によれば、ユーザ装置側に用いられる無線通信方法を提供し、基地局による二つ又は二つよりも多い送受信ポイントを介した多入力多出力伝送を受信するステップと、多入力多出力伝送のダウンリンクチャネル状態に基づいて、二つ又は二つよりも多い送受信ポイントを介して伝送される空間多重化層とコードワードとの間のマッピングスキームを確定するステップと、基地局にマッピングスキームに関する指示情報を送信するステップとを含む。
【００１４】
本発明の実施例は、コンピュータ読み取り可能な記録媒体をさらに含み、情報処理装置により実行されると、上記実施例による方法を情報処理装置に実行させる実行可能な命令を含む。
【００１５】
本発明の実施例により、相対的に比較的柔軟なコードワードから層へのマッピングを実現することができる。
【図面の簡単な説明】
【００１６】
本発明は、以下に図面と合わせて記載された説明を参照することによりよく理解できるだろう。なお、全ての図面において、同一又は類似する部品を同一又は類似する符号で示している。前記図面は以下の詳細な説明と共に本明細書に含まれ本明細書の一部として構成されており、本発明の好適な実施例を挙げて説明し、本発明の原理とメリットを解釈する。図面において、
【００１７】
【図１】図１は、本発明の一実施例による、基地局側に用いられる電子機器の構成例を示すブロック図である。
【図２】図２は、図２是示出本発明の一実施例による、基地局側に用いられる無線通信方法の手順例を示すフローチャートである。
【図３】図３は、本発明の一実施例による、ユーザ装置側に用いられる電子機器の構成例を示すブロック図である。
【図４】図４は、本発明の一実施例による、ユーザ装置側に用いられる無線通信方法の手順例を示すフローチャートである。
【図５】図５は、本発明の一実施例による、基地局側に用いられる電子機器の構成例を示すブロック図である。
【図６】図６は、本発明の一実施例による、基地局側に用いられる無線通信方法の手順例を示すフローチャートである。
【図７】図７は、本発明の一実施例による、ユーザ装置側に用いられる電子機器の構成例を示すブロック図である。
【図８】図８は、本発明の一実施例による、ユーザ装置側に用いられる無線通信方法の手順例を示すフローチャートである。
【図９】図９は、空間多重化層の概念を説明するための模式図である。
【図１０】図１０は、コードワードの変調シンボルから層へのマッピングを説明するための模式図である。
【図１１】図１１は、コードワードと層とのマッピング方式の例を説明するための模式図である。
【図１２】図１２は、一つの例示的実施例において、基地局とＵＥとのインタラクション例を説明するためのシグナリングフローチャートである。
【図１３】図１３は、ＰＤＣＣＨ(物理ダウンリンク制御チャネル)からＰＤＳＣＨ(物理ダウンリンク共有チャネル)へのマッピング模式図であり、その中に、ＰＤＳＣＨからコードワード及び層へのマッピング関係を含む。
【図１４】図１４は、複数のＴＲＰが同一のＵＥにサービスする例示的なシナリオを示す。
【図１５】図１５は、基地局において非コヒーレント伝送アンテナプレートの例を示す模式図である。
【図１６】図１６は、複数のＴＲＰのコードワードと層とのマッピング関係を説明するための模式図である。
【図１７】図１７は、複数のＴＲＰのコードワードと層とのマッピング関係を説明するための模式図である。
【図１８】図１８は、異なるアンテナプレートからＵＥへの送信ビームの例を説明するための模式図である。
【図１９】図１９は、複数のＴＲＰのコードワードと層とのマッピング関係を説明するための模式図である。
【図２０】図２０は、コードブックに基づくアンテナ事前符号化の構成の例を示す。
【図２１】図２１は、コードワードと層とのマッピングを説明するための模式図である。
【図２２】図２２は、逐次干渉除去に基づく空分多重化信号の復調復号化の例示的な図である。
【図２３】図２３は、本開示の内容の技術を応用できるｇＮＢ(５Ｇシステムにおける基地局)の概略的な構成の例を示すブロックである。
【図２４】図２４は、本開示の方法と装置を実現するコンピュータの概略的な構成の例を示すブロックである。
【図２５】図２５は、本開示の内容の技術を応用できるスマートフォンの概略的な構成の例を示すブロックである。
【発明を実施するための形態】
【００１８】
以下、図面を参照しながら本発明の実施例を説明する。本発明の一つの図面又は一実施形態に記載の要素及び特徴は、一つ又はより多くのその他の図面又は実施形態に示された要素及び特徴と相互に結合することができる。なお、明確にするために、図面及び説明において本発明に関係しない、当業者にとって公知の部品及び処理の表示及び記載が省略されていることを注意すべきである。
【００１９】
図１に示すように、この実施例によるユーザ装置側に用いられる電子機器１００は処理回路１１０を含む。処理回路１１０は、例えば、特定のチップ、チップセット又はＣＰＵ（Ｃｅｎｔｒａｌ  Ｐｒｏｃｅｓｓｉｎｇ  Ｕｎｉｔ）などとして実現されてもよい。
【００２０】
処理回路１１０は、伝送制御ユニット１１１と、指示制御ユニット１１３とを含む。なお、図面に機能ブロックの形で、伝送制御ユニット１１１と指示制御ユニット１１３とを示したが、これらのユニットの機能は、処理回路１１０により全体として実現することもでき、処理回路１１０における個別の実際の部品により実現されるとは限らないと理解すべきである。また、図面に一つのブロックで処理回路１１０を示したが、電子機器１００は、複数の処理回路を含んでもよく、且つ伝送制御ユニット１１１と指示制御ユニット１１３との機能を複数の処理回路に分散することができ、これにより、複数の処理回路は連携しながら操作してこれらの機能を実行するようになる。
【００２１】
伝送制御ユニット１１１は、二つ又は二つよりも多い送受信ポイントを介して多入力多出力伝送を行うように、制御するように配置される。
【００２２】
次に、まず、図２０を参照して、多入力多出力伝送について簡単に説明する。
【００２３】
図２０に示すように、一つの又は二つのトランスポートブロックに対応する変調シンボルは、最初にＮＬ個の層にマッピングされる。層の数の可能な範囲は、最小値である１から、アンテナポートの数に等しい最大値までであり、この本開示の例示的な実施例では、層の数の最大値は８である。
【００２４】
コードブックに基づく事前符号化は、ダウンリンクチャネルによって推定される基準信号、例えば、ＣＳＩ−ＲＳ(チャネル状態インジケーション基準信号)に依存し、ＵＥがダウンリンクチャネル測定を行ってダウンリンク伝送に使用される事前符号化行列を推薦するために用いられる。図２０中のＣＳＩ−ＲＳは例示的であり、ＰＤＳＣＨ伝送のために専用に挿入されたものを代表しない。
【００２５】
非コードブックの事前符号化の例において、事前符号化の前にさらに復調基準信号をＰＤＳＣＨに挿入して、ＵＥは、復調基準信号に応じてデータ伝送層が実際に経った事前符号化を含むチャネルを推定するようにし、このようにすれば、異なる層の直接コードブック復調のために用いられる。ＵＥは、いかなる事前符号化行列の情報を知る必要がせず、層の数のみ、即ち、伝送されるランクを知るだけで済み、ネットワークは、選択のための明示的なコードブックも必要とせず、事前符号化を任意に選択できる。非コードブックの事前符号化は、依然としてＵＥによってフィードバックされる定義済みコードブック、例えば、ＰＭＩ(事前符号化行列指示)で指示される事前符号化行列に依存して参照とすることができ、必ずしも実際のダウンリンク伝送に使用されないことに注意すべきである。
【００２６】
また、上記の二つ又は二つよりも多い送受信ポイントは同一の送受信ポイント装置における非コヒーレント伝送を行う二つ又は二つよりも多いアンテナプレートを含み得ることに指すべきである。つまり、本明細書で説明する複数の送受信ポイントは相対的な広義の概念であり、複数の互いに分離されたＴＲＰを指してもよいし、一つのＴＲＰに含まれる複数のアンテナプレートを指してもよい。
【００２７】
具体的には、複数の送受信ポイントは、互いに空間的に分離された複数のＴＲＰを代表してもよく、なお、複数のＴＲＰは一つのセルを形成してもよく、且つ一つのセルＩＤ(Ｃｅｌｌ  ＩＤ)を共有する。例として、図１４に示すように、一つのセル内の三つのＴＲＰは一つのＵＥにサービスし、なお、三つのＴＲＰは、例えば、光ファイバなどを介して高速で一緒に接続されることにより情報を共有してもよい。又は、一つのＴＲＰは１つのセルを独立して形成してもよく、即ち、各ＴＲＰは独自のＣｅｌｌ  ＩＤを有する。
【００２８】
非コヒーレント伝送を行う二つ又は二つよりも多いアンテナプレートについては、図１５に示すように、コヒーレント伝送アンテナプレートグループ１とグループ２において、各アンテナプレートの間でハードウェア的に十分なキャリブレーション、ならびに周波数及び位相の同期プロセスが行われたので、コヒーレント送受信を行うことができる。ここで説明されるコヒーレントとは、各アンテナプレートの間で送信される信号が互いに関連していることを指し、例えば、一つのＰＭＩを使用して各アンテナポートの位相及び幅を調整する。しかし、グループ１とグループ２との間に、上記の仮定を使用し続けることができないので、グループ１とグループ２との間で非コヒーレント伝送のみを行うことができる。ここで説明される非コヒーレントとは、各アンテナプレートによって送信される信号は無関連であり得ることを指す。また、図１８に示すように、一つのＴＲＰにおいて、異なるアンテナプレートから同一のＵＥへは異なる送信ビームを使用してもよく、複数のアンテナプレートからＵＥへの無線信号の伝送経路は大きな違いが生じる可能性があり、これは、本質的に物理的に分離された複数のＴＲＰからＵＥへの伝搬経路が異なる状況に類似する。
【００２９】
この場合に、二つ又は二つよりも多い送受信ポイントとは、同一の送受信ポイント装置内の非コヒーレント伝送を行う二つ又は二つよりも多いアンテナプレートを指してもよい。一例によれば、一つの送受信ポイントは一つのアンテナプレートに対応してもよい。
【００３０】
次に、続いて図１を参照して、この実施例による電子機器について説明する。
【００３１】
指示制御ユニット１１３は、ユーザ機器に指示情報を送信するように、制御するように配置され、当該指示情報は、二つ又は二つよりも多い送受信ポイントを介して伝送される空間多重化層とコードワードとの間のマッピングスキームに関連する。
【００３２】
以下、さらに、図２１を参照して、コードワードから層へのマッピングについて説明する。トランスポートブロックから層へのマッピングは、各層の変調シンボルの数が同じであり、つまり、各アンテナポートにて伝送されるシンボルの数に等しいことを保証する必要がある。従って、例えば、三つの層の場合、２番目のトランスポートブロックは、１番目のコードブック(第１の層にマッピングされる)の長さの２倍で２番目の層、３番目の層にマッピングされる。これは、コードブロック分割とレートマッチング機とを組み合わせたトランスポートブロックのサイズをサポートできる集合により保障され、他の層の数の場合、同様である。一つのトランスポートブロックが二つの層にマッピングされる例において、このトランスポートブロックの変調シンボルは、インタラクションのように二つの層にマッピングされる。言い換えれば、一つの変調シンボルを置いてそれぞれ１番目の層と２番目の層とにそれぞれマッピングされ、一つのトランスポートブロックが三つ以上の層にマッピングされる場合については、同様である。
【００３３】
従来の技術では、一つのＴＲＰ／アンテナプレートのみが異なり、本開示の例では、複数のＴＲＰ又は複数のアンテナプレートが存在し、発明人は、各層とＴＲＰ／アンテナプレートとの対応関係が伝送ブロック／コードワードから各个層へのマッピング関係に影響することを考慮した。各層とＴＲＰ／アンテナプレートとの対応関係は、ＱＣＬ(Ｑｕａｓｉ−Ｃｏ−Ｌｏｃａｔｉｏｎ、擬似コロケーション)のアンテナポートを介して確定することができる。具体的に、基地局は各ＴＲＰ／アンテナプレートに１グループの物理リソースを配置し、当該ＴＲＰ／アンテナプレートに対応する複数のアンテナポートでの基準信号、例えば、ＣＳＩ−ＲＳをキャリアーするために用いられ(これらのＣＳＩ−ＲＳポートはＱＣＬ関係を有する)、当該物理リソース配置をＵＥに通知し、ＵＥは、これらの物理リソースでのＣＳＩ−ＲＳを測定することで特定のＴＲＰ／アンテナプレートからＵＥへの層の数、ＣＱＩ(チャネル品質指標)を含むダウンリンクチャネル状態を知ることができる。図１５に示す例において、ＣＳＩ−ＲＳポート０、ポート１、ポート２、ポート３はＱＣＬ関係であり、ポート４、ポート５〜ポートＭはＱＣＬ関係であり、ただし、この二つのグループのおけるいずれかの二つのＣＳＩ−ＲＳポートについて、ＵＥは、ＱＣＬ関係であるとデフォルトで考えられない。
【００３４】
基地局が複数のＴＲＰを有し、複数のグループのＱＣＬのＣＳＩ−ＲＳポート(グループ内ＱＣＬ、グループ間非ＱＣＬ)を配置した場合に、ＵＥは、グループの順に、測定されたこれらの層を並べ、各層と複数のＴＲＰ／アンテナプレートのどれに対応するかを確定し、そして、ＵＥは、基地局がダウンリンクチャネルの複数の層と、各ＴＲＰ／アンテナプレートとの対応関係を確定し、さらに、トランスポートブロック／コードワードから層へのマッピングを調整するために、複数のグループのＱＣＬのＣＳＩ−ＲＳポートの測定結果を基地局に報告してもよい。いくつかの例において、基地局は、一つのトランスポートブロック／コードワードのみを、一つのＴＲＰ／アンテナプレートに同様に属する複数の層にマッピングし、なお、当該トランスポートブロック／コードワードに用いられる変調符号化スキームなどは、これらの層のＳＩＮＲ(信号対干渉とノイズ比)、例えば、ＣＱＩに応じて確定され、ダウンリンクリソーススケジューリング情報にてＵＥに通知される。それに対応して、ＵＥはどの層が同一のＴＲＰ／アンテナプレートに対応するかを知ってから、どの層で伝送されるものが同一のコードワードであるかを知って、相応する復調／復号化を行い得る。例えば、ＵＥ側に非線形受信機を有すると、図２２に示すように、逐次干渉除去方式に基づいて各層の信号を復号化し、最終に本開示に係る層とコードワードとの対応関係に応じて各コードワードのコンテンツを復元する。
【００３５】
層の数は、通常、伝送ランク（階）と呼ばれる。伝送ランクは動的に変化してもよく、例えば、チャネルのサポートする層の数に基づいて変化する。チャネルのサポートする層の数は、チャネルのランクである。
【００３６】
2021507599.tif 000003
【００３７】
一実施例によれば、指示制御ユニット１１３は、無線リソース制御(ＲＲＣ)シグナリング、媒体アクセス制御−制御要素(ＭＡＣ−ＣＥ)シグナリング、物理層動的シグナリング及びブロードキャストメッセージのうちの少なくとも一つにより上記の指示情報を送信するように、制御するように配置されてもよい。
【００３８】
より具体的に、物理層動的シグナリングは、ダウンリンク制御情報(ＤＣＩ)を含んでもよい。また、ブロードキャストメッセージは、物理ブロードキャストチャネルにより送信されるシステム通知を含んでもよい。
【００３９】
また、一実施例によれば、マッピングスキームは以下の第１のスキームと第２のスキームとから選択される。
第１のスキームでは、空間多重化層とコードワードとの間に所定のマッピング方式を有する。
第２のスキームでは、空間多重化層とコードワードとの間のマッピングは、送受信ポイント又はダウンリンクチャネル状態に基づいて確定される。
【００４０】
次に、まず、空間多重化層とコードワードとの間に所定のマッピング方式を有する場合について説明する。
【００４１】
2021507599.tif 000004
【００４２】
【表１】
2021507599.tif 000005
【００４３】
上記のマッピング方式に加えて、以下の表２中に含まれるマッピングスキームのいずれかも使用することができ、なお、層の数Ｌの範囲は２〜８であり、各層の数に対応するスキーム数Ｍの値は層の数Ｌ(Ｍ≦Ｌ−１)に依存し、Ｌ０とＬ１とはそれぞれ第１のコードワードと第２のコードワードとがマッピングされる層の数を示す。
【００４４】
【表２】
2021507599.tif 000006
【００４５】
空間多重化層とコードワードとの間に所定のマッピング方式を有するスキームでは、基地局はコードワードから層へのマッピングテーブルを記憶するか、又はコードワードから層へのマッピングテーブルを予め定義する。基地局は、例えば、ＵＥによってフィードバックされたランクインデックス(ＲＩ)に応じてＰＤＳＣＨ伝送でどのコードワードと層とのマッピング関係を使用するかを判断してもよい。また、基地局は、例えば、ＭＡＣ  ＣＥ又はＤＣＩによりＵＥに、当該ＰＤＳＣＨによって選択されたコードワードから層へのマッピングスキームを通知してもよい。
【００４６】
一方、送受信ポイント又はダウンリンクチャネル状態に基づいて空間多重化層とコードワードとの間のマッピングのスキームを確定してもよい。より具体的に、例えば、基地局側において、送受信ポイントに基づいて空間多重化層とコードワードとの間のマッピングスキームを確定してもよいし、又は、例えば、ＵＥ側において、ダウンリンクチャネル状態に基づいて空間多重化層とコードワードとの間のマッピングのスキームを確定してもよい。
【００４７】
一実施例によれば、マッピングスキームは、同一の送受信ポイントを介して伝送される空間多重化層を同一のコードワードに対応させるように確定されてもよい。
【００４８】
次に、図１１を参照して、送受信ポイントに基づいて空間多重化層とコードワードとの間のマッピングスキームを確定する例について説明する。
【００４９】
図１１の(ａ)に示す場合に、表１における固定マッピング方式に従って、二つのＴＲＰ(ＴＲＰ１とＴＲＰ２)は一つのＵＥに、四つの層、一つのコードワードＣＷ０(即ち、一つのＣＱＩ)を伝送する。しかしながら、層１(Ｌ１)と層２(Ｌ２)のチャネル品質は、層３(Ｌ３)と層４(Ｌ４)のチャネル品質と相似しない可能性があるので、正確にチャネル品質を取得しない可能性がある。
【００５０】
図１１の(ｂ)に示すように、この実施例によれば、同一の送受信ポイントを介して伝送される空間多重化層を同一のコードワードに対応させ、即ち、ＴＲＰ１を介して伝送される層１と層２とがＣＷ０にマッピングされ、ＴＲＰ２を介して伝送される層３と層４とがＣＷ１にマッピングされ、より正確にチャネル品質を取得することが可能となる。
【００５１】
図１１の(ｃ)に示す場合において、二つのＴＲＰは一つのＵＥに、５層の合計で二つのコードワード(即ち、二つのＣＱＩ)を伝送する。表１における固定マッピング方式に従って、層１(Ｌ１)と層２(Ｌ２)とが第１のコードワードＣＷ０にマッピングされ、層３(Ｌ３)、層４(Ｌ４)、層５(Ｌ５)が第２のコードワードＣＷ１にマッピングされる。しかしながら、層３のチャネル品質は、層４及び層５のチャネル品質と相似しない可能性があるので、正確にチャネル品質を取得しない可能性がある。
【００５２】
図１１の(ｄ)に示すように、この実施例によれば、同一の送受信ポイントを介して伝送される空間多重化層を同一のコードワードに対応させ、即ち、ＴＲＰ１を介して伝送される層１、層２、層３がＣＷ０にマッピングされ、ＴＲＰ２を介して伝送される層４と層５とがＣＷ１にマッピングされ、より正確にチャネル品質を取得することが可能となる。
【００５３】
表１に示す固定マッピングスキームとの比較を容易にするために、以下の表３は、ＴＲＰ１とＴＲＰ２とがそれぞれ一つのコードワードを使用してＵＥに二つの層のデータを伝送する場合における一つの例示的な実施例によるマッピングスキームを提供する。
【００５４】
【表２】
2021507599.tif 000007
【００５５】
当該実施例によって、単一のＣＱＩが複数のＴＲＰからのチャネル品質を表現することが困難であるという問題を解決することができる。
【００５６】
次に、具体的な例を参照して、ユーザ装置に、マッピングスキームに関する指示情報を送信する実施形態を説明する。
【００５７】
単一のＰＤＳＣＨの場合に、二つのＴＲＰ、又は、非コヒーレント伝送を行う二つのアンテナプレートを最大限にサポートする。例えば、ＰＢＣＨ／ＲＲＣ／ＭＡＣ  ＣＥ／ＤＣＩを介してＵＥに対して１ビット(ｂｉｔ)を配置して、コードワードから層へのスキームを指示するために用いられ、なお、「０」は、ＵＥに対して所定のコードワードから層へのマッピングスキームを配置することを代表し、「１」は、ＵＥに対してＴＲＰ／アンテナプレートに基づくコードワードから層へのマッピングスキームを配置することを代表する。より具体的に、各ＴＲＰ／アンテナプレートは一つのコードワード(即ち、一つのＣＱＩ)に関連し得る。
【００５８】
コヒーレント伝送する複数のアンテナプレートは一つのコードワードを使用してもよく、ＣＳＩ(チャネル状態インジケーション)を取得するフェーズでは、例えば、複数のＱＣＬのＣＳＩ−ＲＳポートを、一つのコードワードを使用すると確定し、複数の非ＱＣＬのＣＳＩ−ＲＳポートを、二つのコードワードを使用すると確定する。
【００５９】
例として、単一のＴＲＰを採用する場合に、指示情報「０」を送信でき、これにより、ＵＥのフィードバック及び基地局ダウンリンク制御チャネルのオーバーヘッドを効果的に削減することができ、複数のＴＲＰを採用する場合に、指示情報「１」を送信でき、これにより、より正確なチャネル品質を取得する。
【００６０】
次に、図１２のシグナリングフローチャートを参照して、基地局とＵＥとの間のシグナリングインタラクションについて説明する。
【００６１】
まず、Ｓ１２０２において、基地局は、ＲＲＣシグナリングによりＵＥに対してＴＲＰ情報を配置する。例えば、各ＴＲＰに対して一つのＣＳＩ−ＲＳリソースを配置してもよく、当該グループのリソースにおいて、複数のＣＳＩ−ＲＳポートはＱＣＬ関係であり、なお、複数のＱＣＬのＣＳＩ−ＲＳアンテナポートが送信する、基地局からＵＥへの無線信号は、チャネルフェージングの大規模パラメーター（例えば、経路損失、送受信ビームなど）が同じであることを満たす。
【００６２】
次に、Ｓ１２０４において、基地局は、ＲＲＣ／ＭＡＣ  ＣＥ／ＤＣＩを介して、ＵＥに指示情報(例えば、０又は１)を送信して、使用しようとするマッピングスキームを指示する。
【００６３】
Ｓ１２０６において、基地局は、ＣＳＩ−ＲＳリソースを送信する。
【００６４】
Ｓ１２０８において、ＵＥは、ＣＳＩ−ＲＳリソースを測定し、指示されたマッピングスキームについてＣＳＩを算出し、ＰＭＩ／ＲＩＣＱＩを含む。
【００６５】
Ｓ１２１０において、ＵＥは、基地局にＣＳＩをフィードバックする。
【００６６】
Ｓ１２１２において、基地局は、報告されたＣＳＩに基づいてスケジューリング決定を行う。
【００６７】
Ｓ１２１４において、基地局は、マッピングモードに応じてＰＤＳＣＨ伝送を行う。
【００６８】
ＰＤＳＣＨは、基地局がＵＥに送信する物理層共有データチャネルである。ここで説明される単一のＰＤＳＣＨは、複数のＰＤＳＣＨに対する概念である。図１３を参照して、複数のＴＲＰはＵＥに複数のＰＤＳＣＨを伝送し、各ＰＤＳＣＨには、１〜２個のＣＷを含み、それぞれ異なる空間多重化層に対応する。一つのダウンリンク制御チャネルであるＰＤＣＣＨは一つのＰＤＳＣＨをスケジューリングする。図１３に示されるコードワードから層へのマッピングは先に表１に合わせて説明されたマッピングスキームに対応する。
【００６９】
また、二つのＴＲＰ又は二つのアンテナプレートの制限性を考慮し、複数のＰＤＳＣＨを使用して、サポートされるＴＲＰ又はアンテナプレートの数を増加させる。
【００７０】
一実施例によれば、複数の物理ダウンリンク共有チャネルのそれぞれに対して、上記の第１のスキームと第２のスキームとから、当該物理ダウンリンク共有チャネルに用いられるマッピングスキームを確定してもよい。
【００７１】
複数(二つ)のＰＤＳＣＨの場合について、四つのＴＲＰ／アンテナプレートを最大限にサポートする。
【００７２】
ＲＲＣ／ＭＡＣ  ＣＥ／ＤＣＩを介して、ＵＥの各ＰＤＳＣＨに対して、例えば、１ビットの指示情報を配置して、コードワードから層へのマッピングスキームを指示してもよい。
【００７３】
上記の実施形態と同様に、「０」は、ＵＥに対して、所定のコードワードから層へのマッピングスキームを配置することを代表し、「１」は、ＵＥに対して、ＴＲＰ／アンテナプレートに基づくコードワードから層へのマッピングスキームを配置することを代表する。
【００７４】
より具体的に、各ＴＲＰ／アンテナプレートは、一つのコードワード(即ち、一つのＣＱＩ)に関連し得る。
【００７５】
コヒーレント伝送する複数のアンテナプレートは、一つのコードワードを使用できることに留意されたく、ＣＳＩを取得するフェーズにおいて、複数のＱＣＬのＣＳＩ−ＲＳポートを、一つのコードワードを使用すると確定し、複数の非ＱＣＬのＣＳＩ−ＲＳポートを、二つのコードワードを使用と確定してもよい。
【００７６】
また、図１６に、三つのＴＲＰが同時に一つのＵＥにサービスする例示的な場合を示している。図１６の左側に示すように、層の数が６であると、三つのＰＤＳＣＨを使用する必要がある。しかしながら、従来のシステムにおいて二つのＰＤＳＣＨのみをサポートすることを考慮し、図１６の右側に示すように、一つの例示的なスキームは、二つのＰＤＳＣＨを使用し、その中の一つのＰＤＳＣＨは二つのコードワードであるＣＷ０とＣＷ１を使用する。
【００７７】
また、図１７に、他の例示的なマッピングスキームを示し、固定マッピング方式とＴＲＰに基づくマッピング方式との両方を同時に採用する。
【００７８】
具体的に、図１７の左側に示すように、ＴＲＰ１からＵＥへのチャネル品質がＴＲＰ２からＵＥへのチャネル品質と大きく異なると想定されると、ＴＲＰに基づくコードワードから層へのマッピング方式を使用してもよく、つまり、二つのコードワードを使用する。一方、図１７の右側に示すように、ＴＲＰ３からＵＥへのチャネル品質がＴＲＰ４からＵＥへのチャネル品質と小さく異なると想定されると、例えば、ＵＥは一つのコードワードを使用するマッピング方式を選択してもよい。
【００７９】
上記の各実施例によって、一つのコードワードがＴＲＰを介して伝送される可能性があることによる一つの伝送符号化スキームが複数の異なるチャネルの場合にマッチングできないという問題は、比較的に小さいシグナリング消費で解決することができる。
【００８０】
以上で本発明の実施例による装置の記述で、明らかに幾つかの方法とプロセスも開示される。次に、以上で記述された具体的細部を重複しない場合に、本発明の実施例による方法について説明する。
【００８１】
図２に示すように、一実施例による基地局側に用いられる無線通信方法は、以下のステップを含む。
【００８２】
Ｓ２１０において、二つ又は二つよりも多い送受信ポイントを介して、多入力多出力伝送を行う。
【００８３】
Ｓ２２０において、ユーザ機器に指示情報を送信し、当該指示情報は、二つ又は二つよりも多い送受信ポイントを介して伝送される空間多重化層とコードワードとの間のマッピングスキームに関連する。
【００８４】
また、本発明の実施例はユーザ装置側に用いられる電子機器及び無線通信方法をさらに含む。
【００８５】
図３に示すように、一実施例によるユーザ装置用の電子機器３００は処理回路３１０を含み、処理回路３１０は伝送制御ユニット３１１と受信制御ユニット３１３とを含む。
【００８６】
伝送制御ユニット３１１は、基地局による二つ又は二つよりも多い送受信ポイントを介した多入力多出力伝送を受信するように、制御するように配置される。
【００８７】
受信制御ユニット３１３は、基地局から指示情報を受信するように、制御するように配置され、当該指示情報は二つ又は二つよりも多い送受信ポイントを介して伝送される空間多重化層とコードワードとの間のマッピングスキームに関連する。
【００８８】
図４に示すように、一実施例によるユーザ装置に用いられる無線通信方法は以下のステップを含む。
【００８９】
Ｓ４１０において、基地局による二つ又は二つよりも多い送受信ポイントを介した多入力多出力伝送を受信する。
【００９０】
Ｓ４２０において、基地局から指示情報を受信し、当該指示情報は、二つ又は二つよりも多い送受信ポイントを介して伝送される空間多重化層とコードワードとの間のマッピングスキームに関連する。
【００９１】
また、先に言及されたように、空間多重化層とコードワードとの間のマッピングのスキームは、ＵＥ側に、例えば、ダウンリンクチャネル状態に基づいて確定され得る。次に、ユーザ装置側にマッピングスキームを確定する実施例について説明する。
【００９２】
図５に示すように、一実施例による基地局側に用いられる電子機器５００は処理回路５１０を含み、処理回路５１０は、伝送制御ユニット５１１と受信制御ユニット５１３とを含む。
【００９３】
伝送制御ユニット５１１は、二つ又は二つよりも多い送受信ポイントを介して多入力多出力伝送を行うように、制御するように配置される。
【００９４】
受信制御ユニット５１３は、ユーザ装置から指示情報を受信するように、制御するように配置され、当該指示情報は、二つ又は二つよりも多い送受信ポイントを介して伝送される空間多重化層とコードワードとの間のマッピングスキームに関連する。
【００９５】
図６に示すように、一実施例による基地局側に用いられる無線通信方法は以下のステップを含む。
【００９６】
Ｓ６１０において、二つ又は二つよりも多い送受信ポイントを介して多入力多出力伝送を行う。
【００９７】
Ｓ６２０において、ユーザ装置から指示情報を受信し、当該指示情報は、前記二つ又は二つよりも多い送受信ポイントを介して伝送される空間多重化層とコードワードとの間のマッピングスキームに関連する。
【００９８】
図７に、一実施例によるユーザ装置側に用いられる電子機器を示す。図７に示すように、電子機器７００は処理回路７１０を含み、処理回路７１０は、受信制御ユニット７１１と、確定ユニット７１３と、送信制御ユニット７１５とを含む。
【００９９】
受信制御ユニット７１１は、基地局による二つ又は二つよりも多い送受信ポイントを介した多入力多出力伝送を受信するように、制御するように配置される。
【０１００】
確定ユニット７１３は、多入力多出力伝送のダウンリンクチャネル状態に基づいて、二つ又は二つよりも多い送受信ポイントを介して伝送される空間多重化層とコードワードとの間のマッピングスキームを確定するように配置される。
【０１０１】
一実施例によれば、マッピングスキームは、類似しているチャネル品質を有する空間多重化層を同一のコードワードにマッピングするように確定される。
【０１０２】
また、同一のコードワードにマッピングされた空間多重化層、異なる送受信ポイントの空間多重化層を含んでもよい。
【０１０３】
送信制御ユニット７１５は、基地局に、当該マッチングスキームに関連する指示情報を送信するように、制御するように配置される。
【０１０４】
一実施例によれば、指示情報は、二つ又は二つよりも多い送受信ポイントのそれぞれについてのポイントのランクインデックスを含んでもよい。
【０１０５】
また、指示情報はビットマップをさらに含んでもよく、なお、ビットマップの長さは二つ又は二つよりも多い送受信ポイントのランクインデックスの和である。
【０１０６】
ＵＥ側においてマッピングスキームを確定する実施例において、基地局は、ＵＥに対して複数のＴＲＰ／アンテナプレートを配置してもよく、ＵＥは、コードワードから層へのマッピング方式を自分で決定する。
【０１０７】
具体的に、ＵＥは、例えば、１ビットの情報を基地局に報告して、所定のコードワードと層との間のマッピング方式を使用することを説明することができ、例えば、「０」は所定のマッピング方式を使用しないことを代表し、「１」は所定のマッピング方式を使用することを代表する。
【０１０８】
ＵＥが自分で決定したマッピング方式を採用すると、ＵＥは、例えば、自分で選択したマッピング方式に従ってＣＱＩなどのフィードバック情報などを算出することができる。
【０１０９】
ＵＥは、どの層を選択して同一のコードワードにマッピングする場合に、必ずしも同一のＴＲＰからの層を選択しないが、例えば、チャネル品質、例えば、ＳＩＮＲが比較的に近い層を選択してもよいことに留意されたい。
【０１１０】
図１９に示すように、ＴＲＰ１の層Ｌ１、Ｌ２と、ＴＲＰ２のＬ５とが類似しているＳＩＮＲ値を有するので、ＵＥは、Ｌ１、Ｌ２、Ｌ５を選択して一つのコードワードＣＷ０を形成し、Ｌ３、Ｌ４を別のコードワードＣＷ１に形成してもよい。
【０１１１】
また、ＵＥは、基地局に、ＵＥによって選択されたコードワードから層へのマッピング関係を報告してもよい。
【０１１２】
例として、ＵＥは、基地局に二つのＲＩをフィードバックしてもよい。図１９に示す例と合わせて、例えば、ＴＲＰ１にフィードバックされたＲＩ＿１は２であり、ＴＲＰ２にフィードバックされたＲＩは３である。また、ＵＥは、ＲＩ＿１+ＲＩ＿２の長さのビットマップ(ｂｉｔｍａｐ)を報告してもよく、この例において、００１１０であり、なお、三つの「０」はＣＷ０に割り当てられた三つの層がそれぞれＬ１、Ｌ２、Ｌ５であることを代表し、２つの「１」はＣＷ１に割り当てられた層がＬ４、Ｌ５であることを代表する。
【０１１３】
2021507599.tif 000008
【０１１４】
図８に、一実施例によるユーザ装置側に用いられる無線通信方法を示し、以下のステップを含む。
【０１１５】
Ｓ８１０において、基地局による二つ又は二つよりも多い送受信ポイントを介した多入力多出力伝送を受信する。
【０１１６】
Ｓ８２０において、多入力多出力伝送のダウンリンクチャネル状態に基づいて、二つ又は二つよりも多い送受信ポイントを介して伝送される空間多重化層とコードワードとの間のマッピングスキームを確定する。
【０１１７】
Ｓ８３０において、基地局にマッピングスキームに関連する指示情報を送信する。
【０１１８】
また、本発明の実施例はコンピュータ読み取り可能な記録媒体をさらに含み、情報処理装置により実行されると、上記実施例による方法を情報処理装置に実行させる実行可能な命令を含む。
【０１１９】
本発明の実施例は、ユーザ装置側に用いられる無線通信装置及び基地局側に用いられる無線通信装置をさらに含む。上記の無線通信装置は、送受信装置、及び上記の実施例と合わせて説明されたプロセッサーを含む。
【０１２０】
例として、上記方法の各ステップ及び上記装置の各組立モデル及び／又はユニットはソフトウェア、ファームウェア、ハードウェア又はその組み合わせとして実施してもよい。ソフトウェア或いはファームウェアで実現する場合、記憶媒体或いはネットワークから専用ハードウェア構造を有するコンピュータ（例えば図２４に示す汎用パーソナルコンピュータ２４００）に上記方法を実施するためのソフトウェアを構成するプログラムをインストールし、当該コンピュータは各種のプログラムがインストールされた場合、各種の機能等を実行できる。
【０１２１】
図２４において、演算処理ユニット（即ち、ＣＰＵ）２４０１は、読取専用メモリ（ＲＯＭ）２４０２に記憶されているプログラム或いは記憶部２４０８からランダムアクセスメモリ（ＲＡＭ）２４０３にロードしたプログラムに基づいて各種の処理を実行する。ＲＡＭ２４０３にも、必要に応じてＣＰＵ２４０１が各種の処理等を実行する際に必要なデータが記憶される。ＣＰＵ２４０１、ＲＯＭ２４０２、ＲＡＭ２４０３はバス２４０４を介して互いにリンクされている。入力／出力インターフェース２４０５もバス２４０４にリンクされている。
【０１２２】
入力部２４０６（キーボード、マウス等を含む）、出力部２４０７（ディスプレイ、例えば陰極線管（ＣＲＴ）、液晶ディスプレイ（ＬＣＤ）等、スピーカー等を含む）、記憶部２４０８（ハードディスク等を含む）、通信部２４０９（ネットワークインターフェースカード例えばＬＡＮカード、モデム等を含む）は入力／出力インターフェース２４０５に接続される。通信部２４０９は、ネットワーク、例えばインターネットを介して通信処理を実行する。必要に応じて、ドライバー２４１０も入力／出力インターフェース２４０５に接続されてもよい。リムーバブルメディア２４１１、例えばディスク、光ディスク、光磁気ディスク、半導体メモリ等は、必要に応じてドライバー２４１０に装着され、その中から読み出したコンピュータプログラムが必要に応じて記憶部２４０８にインストールされるようにする。
【０１２３】
ソフトウェアで上記一連の処理を実現する場合、ネットワーク、例えばインターネット或いは記憶媒体、例えばリムーバブルメディア２４１１からソフトウェアを構成するプログラムをインストールする。
【０１２４】
当業者であれば、このような記憶媒体は、図２４に示す、その中にプログラムが記憶され、装置に別途配分してユーザにプログラムを提供するリムーバブルメディア２４１１に限定されないことが理解される。リムーバブルメディア２４１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ２４０２、記憶部２４０８に含まれるハードディスク等であってもよく、その中にプログラムが記憶され、且つこれらを含む装置とともにユーザに配分される。
【０１２５】
本発明の実施例は、さらに、機器読み取り可能なプログラム命令コードを記憶しているプログラム製品に関する。前記命令コードは機器に読み取られて実行される場合に、上記本発明の実施例による方法を実行できる。
【０１２６】
それに対応して、上記した機器読み取り可能な命令コードが記憶されているプログラム製品をキャリアーするための記憶媒体も本発明の開示に含まれる。上記記憶媒体はフロッピーディスク、光ディスク、光磁気ディスク、メモリカード、メモリースティック等が含まれるが、これに限られない。
【０１２７】
本出願の実施例はさらに、以下の電子機器に関する。電子機器を基地局側に応用する場合に、電子機器は、任意のタイプの進化型ノードＢ（ｅＮＢ）、例えばマクロｅＮＢとスモールｅＮＢとして実現してもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【０１２８】
電子機器をユーザ機器側に応用する場合に、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーションデバイス）として実現されてもよい。また、電子機器は、上記端末における端末ごとに取り付けられた無線通信モデル（例えば単一又は複数のチップを含む集成回路モデル）であってもよい。
【０１２９】
［端末装置の応用例について］
図２５は、本開示の内容の技術を応用できるスマートフォン２５００の概略的構成を示すブロック図である。スマートフォン２５００は、プロセッサー２５０１、メモリ２５０２、記憶装置２５０３、外部接続インターフェース２５０４、撮像装置２５０６、センサ２５０７、マイクロフォン２５０８、入力装置２５０９、表示装置２５１０、スピーカー２５１１、無線通信インターフェース２５１２、一つ又は複数のアンテナスイッチ２５１５、一つ又は複数のアンテナ２５１６、バス２５１７、バッテリー２５１８及び補助コントローラー２５１９を含む。
【０１３０】
プロセッサー２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサー２５０１により実行されるプログラムを記憶する。記憶装置２５０３は記憶媒体、例えば半導体メモリとハードディスクを含んでもよい。外部接続インターフェース２５０４は、外部装置（メモリカードとユニバーサル・シリアル・バス（ＵＳＢ））をスマートフォン２５００に接続するためのインターフェースである。
【０１３１】
撮像装置２５０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を含み、撮像画像を生成する。センサ２５０７は例えば、測定センサ、ジャイロセンサ、地磁気センサ及び加速度センサなどのセンサ群を含んでもよい。マイクロフォン２５０８はスマートフォン２５００に入力された音声をオーディオ信号に変換する。入力装置２５０９は例えば表示装置２５１０のスクリーン上のタッチを検出するように配置されるタッチセンサ、キーパッド、キーボード、ボタン又はスイッチを含み、ユーザから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカー２５１１はスマートフォン２５００から出力されたオーディオ信号を音声に変換する。
【０１３２】
無線通信インターフェース２５１２は任意のセルラー通信方式（例えば、ＬＴＥ、ＬＴＥ−Ａｄｖａｎｃｅｄ）をサポートし、無線通信を実行する。無線通信インターフェース２５１２は、一般に、例えばＢＢプロセッサー２５１３とＲＦ回路２５１４とを含んでもよい。ＢＢプロセッサー２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インターフェース２５１２はＢＢプロセッサー２５１３とＲＦ回路２５１４を集積した一つのチップモデルであってもよい。図２５に示すように、無線通信インターフェース２５１２は複数のＢＢプロセッサー２５１３と複数のＲＦ回路２５１４を含んでもよい。図２５は無線通信インターフェース２５１２が複数のＢＢプロセッサー２５１３と複数のＲＦ回路２５１４を含む例を示したが、無線通信インターフェース２５１２は単一のＢＢプロセッサー２５１３又は単一のＲＦ回路２５１４を含んでもよい。
【０１３３】
また、セルラー通信方式を除き、無線通信インターフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インターフェース２５１２は無線通信方式ごとのＢＢプロセッサー２５１３とＲＦ回路２５１４を含んでもよい。
【０１３４】
アンテナスイッチ２５１５の各々は、無線通信インターフェース２５１２に含まれる複数の回路（例えば、異なる無線通信方式のための回路）の間にアンテナ２５１６の接続先を切り替える。
【０１３５】
アンテナ２５１６の各々は単一の又は複数のアンテナ素子（例えば、ＭＩＭＯアンテナに含まれる複数のアンテナ素子）を含み、無線通信インターフェース２５１２による無線信号の送受信のために用いられる。図２５に示すように、スマートフォン２５００は複数のアンテナ２５１６を含んでもよい。図２５はスマートフォン２５００が複数のアンテナ２５１６を含む例を示したが、スマートフォン２５００は単一のアンテナ２５１６を含んでもよい。
【０１３６】
また、スマートフォン２５００は無線通信方式ごとにアンテナ２５１６を含んでもよい。この場合、アンテナスイッチ２５１５はスマートフォン２５００の構成から省略されてもよい。
【０１３７】
バス２５１７は、プロセッサー２５０１、メモリ２５０２、記憶装置２５０３、外部接続インターフェース２５０４、撮像装置２５０６、センサ２５０７、マイクロフォン２５０８、入力装置２５０９、表示装置２５１０、スピーカー２５１１、無線通信インターフェース２５１２及び補助コントローラー２５１９を互いに接続する。バッテリー２５１８は図中に破線で部分的に示した支線を介して図２５に示すスマートフォン２５００の各ブロックに電力を供給する。補助コントローラー２５１９は例えば、スリープモードにおいて、スマートフォン２５００の必要最低限の機能を動作させる。
【０１３８】
図２５に示すスマートフォン２５００において、本発明の実施例によるユーザ機器側の無線通信装置の送受信装置は、無線通信インターフェース２５１２により実現されてもよい。本発明の実施例によるユーザ機器側の電子機器又は無線通信装置の処理回路及び／又は各ユニットの機能の少なくとも一部は、プロセッサー２５０１又は補助コントローラー２５１９により実現されてもよい。例えば、補助コントローラー２５１９がプロセッサー２５０１の一部の機能を実行することでバッテリー２５１８の電力消費を低減させてもよい。また、プロセッサー２５０１又は補助コントローラー２５１９は、メモリ２５０２あるいは記憶装置２５０３に記憶されているプログラムを実行することで、本発明の実施例によるユーザ機器側の電子装置又は無線通信装置の処理回路及び／又は各ユニットの機能の少なくとも一部を実行してもよい。
【０１３９】
［基地局の応用例について］
図２３は、本開示の技術を応用できるｅＮＢの概略的構成の例を示すブロック図である。ｅＮＢ２３００は、一つ又は複数のアンテナ２３１０及び基地局デバイし２３２４を含む。基地局デバイス２３２４と各アンテナ２３１０はＲＦケーブルを介して互いに接続されてもよい。
【０１４０】
アンテナ２３１０の各々は、単一の又は複数のアンテナ素子（例えば、多入力多出力（ＭＩＭＯ）アンテナに含まれる複数のアンテナ素子）を含み、基地局デバイス２３２４による無線信号の送受信のために用いられる。ｅＮＢ２３００は、図２３に示すように、複数のアンテナ２３１０を含んでもよい。複数のアンテナ２３１０は、例えばｅＮＢ２３００が使用する複数の周波数帯域に共用してもよい。
【０１４１】
基地局デバイス２３２０は、コントローラー２３２１、メモリ２３２２、ネットワークインターフェース２３２３、及び無線通信インターフェース２３２５を含む。
【０１４２】
コントローラー２３２１は、例えばＣＰＵ又はＤＳＰであってよく、基地局デバイス２３２０の上位レイヤの様々な機能を操作する。例えば、コントローラー２３２１は、無線通信インターフェース２３２５により処理された信号内のデータからデータパケットを生成し、生成したパケットをネットワークインターフェース２３２３を介して転送する。コントローラー２３２１は、複数のベースバンドプロセッサーからのデータをバンドリングすることによりバンドルドパケットを生成し、生成したバンドルドパケットを転送してもよい。また、コントローラー２３２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ２３２２は、ＲＡＭ及びＲＯＭを含み、コントローラー２３２１により実行されるプログラム、及び様々な制御データ（例えば、端末リスト、伝送電力データ及びスケジューリングデータなど）を記憶する。
【０１４３】
ネットワークインターフェース２３２３は基地局デバイス２３２０をコアネットワーク２３２４に接続するための通信インターフェースである。コントローラー２３２１はネットワークインターフェース２３２３を介してコアネットワークノード又は他のｅＮＢと通信してもよい。この場合、ｅＮＢ２３００とコアネットワークノード又は他のｅＮＢとはロジックインターフェース（例えばＳ１インターフェースとＸ２インターフェース）により互いに接続される。ネットワークインターフェース２３２３は有線通信インターフェース、又は無線バックホールのための無線通信インターフェースであってもよい。ネットワークインターフェース２３２３が無線通信インターフェースであると、ネットワークインターフェース２３２３は無線通信インターフェース２３２５により使用される周波数帯域よりも高い周波数帯域を無線通信に使用してもよい。
【０１４４】
無線通信インターフェース２３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２３１０を介して、ｅＮＢ２３００のセル内に位置する端末までの無線接続を提供する。無線通信インターフェース２３２５は、一般、ベースバンド（ＢＢ）プロセッサー２３２６及びＲＦ回路２３２７を含んでもよい。ＢＢプロセッサー２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラー２３２１の代わりに、ＢＢプロセッサー２３２６は上記ロジック機能の一部又は全部を有してもよい。ＢＢプロセッサー２３２６は通信制御プログラムを記憶するメモリであってもよく、又はプログラムを実行するように配置されるプロセッサー及び関連する回路を含むモデルであってもよい。ＢＢプロセッサー２３２６の機能はプログラムの更新により変更可能であってもよい。当該モデルは基地局デバイス２３２４のスロットに挿入されるカード若しくはブレードであってもよい。代わりに、当該モデルはカード若しくはブレードに搭載されるチップであってもよい。一方、ＲＦ回路２３２７は例えばミキサ、フィルタ及びアンプを含んでもよく、アンテナ２３１０を介して無線信号を送受信する。
【０１４５】
図２３に示すように、無線通信インターフェース２３２５は複数のＢＢプロセッサー２３２６を含んでもよい。例えば、複数のＢＢプロセッサー２３２６はｅＮＢ  ２３００が使用する複数の周波数帯域に共用されてもよい。図２３に示すように、無線通信インターフェース２３２５は複数のＲＦ回路２３２７を含んでもよい。例えば、複数のＲＦ回路２３２７は複数のアンテナ素子に共用されてもよい。図２３は無線通信インターフェース２３２５に複数のＢＢプロセッサー２３２６と複数のＲＦ回路２３２７とを含む例を示したが、無線通信インターフェース２３２５は単一のＢＢプロセッサー２３２６又は単一のＲＦ回路２３２７を含んでもよい。
【０１４６】
図２３に示すｅＮＢ  ２３００において、本発明の実施例による基地局側の無線通信装置の送受信装置又は送受信ユニットは、無線通信インターフェース２３２５により実現されてもよい。本発明の実施例による基地局側の電子機器又は無線通信装置の処理回路及び／又は各ユニットの機能の少なくとも一部は、コントローラー２３２１により実現されてもよい。例えば、コントローラー２３２１は、メモリ２３２２に記憶されているプログラムを実行することで本発明の実施例による基地局側の電子機器又は無線通信装置の処理回路及び／又は各ユニットの機能の少なくとも一部を実行してもよい。
【０１４７】
以上で、本発明の具体的な実施例の記述において、一種の実施形態に対して記述及び／又は示す特徴は、同一又は類似の方式で一つ又は複数の他の実施形態に使用され、他の実施形態における特徴と組合せ、又は他の実施形態における特徴を置き換えることができる。
【０１４８】
なお、用語「含む／包含」は、本文で使用される際に、特徴、要素、ステップ又はコンポーネントの存在を指すが、一つ又は複数の他の特徴、要素、ステップ又はコンポーネン
トの存在又は添加を排除しない。
【０１４９】
上記の実施例と例において、数字からなる符号を用いて各ステップ及び／又はユニットを示した。当業者であれば、これらの符号は、記述と製図を便宜に行うために、その順序又はいかなる他の限定を示すことはない。
【０１５０】
また、本発明の方法は、明細書に記述される時間順に従って実行することを限定せず、他の時間順に従って、並行又は独立に実行されることも可能である。従って、本明細書に記述される方法の実行順、は、本発明の技術的範囲を制限しない。
【０１５１】
以上に本発明の具体的な実施例についての記述にて本発明を開示したが、上記の全ての実施例と例は例示的であり、制限しないと理解される。当業者は付随する特許請求の精神と範囲において、本発明に対する各種の修正、改進又は均等物を設計することができる。これらの修正、改進又は均等物も本発明の保護範囲に該当することは明らかである。
【図１】
2021507599.tif 000009
【図２】
2021507599.tif 000010
【図３】
2021507599.tif 000011
【図４】
2021507599.tif 000012
【図５】
2021507599.tif 000013
【図６】
2021507599.tif 000014
【図７】
2021507599.tif 000015
【図８】
2021507599.tif 000016
【図９】
2021507599.tif 000017
【図１０】
2021507599.tif 000018
【図１１】
2021507599.tif 000019
【図１２】
2021507599.tif 000020
【図１３】
2021507599.tif 000021
【図１４】
2021507599.tif 000022
【図１５】
2021507599.tif 000023
【図１６】
2021507599.tif 000024
【図１７】
2021507599.tif 000025
【図１８】
2021507599.tif 000026
【図１９】
2021507599.tif 000027
【図２０】
2021507599.tif 000028
【図２１】
2021507599.tif 000029
【図２２】
2021507599.tif 000030
【図２３】
2021507599.tif 000031
【図２４】
2021507599.tif 000032
【図２５】
2021507599.tif 000033
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
処理回路を含む基地局側に用いられる電子機器であって、
前記処理回路は、
二つ又は二つよりも多い送受信ポイントを介して多入力多出力伝送を行い、
ユーザー機器に、前記二つ又は二つよりも多い送受信ポイントを介して伝送される空間多重化層とコードワードとの間のマッピングスキームに関連する指示情報を送信するように制御するように配置されている、電子機器。
【請求項２】
前記マッピングスキームは、第１のスキームと第２のスキームとから選択され、
前記第１のスキームでは、空間多重化層とコードワードとの間に所定のマッピング方式を有し、
前記第２のスキームでは、空間多重化層とコードワードとの間のマッピングが送受信ポイント又はダウンリンクチャネル状態に基づいて確定される請求項１に記載の電子機器。
【請求項３】
前記マッピングスキームは、同一の送受信ポイントを介して伝送される空間多重化層を同一のコードワードに対応させることを含む請求項１に記載の電子機器。
【請求項４】
前記処理回路は、
複数の物理ダウンリンク共有チャネルのそれぞれに対して、前記第１のスキームと前記第２のスキームとから当該物理ダウンリンク共有チャネルに用いられるマッピングスキームを確定するように配置される請求項２に記載の電子機器。
【請求項５】
前記二つ又は二つよりも多い送受信ポイントは、同一の送受信ポイント装置における非コヒーレント伝送を行う二つ又は二つよりも多いアンテナプレートを含む請求項１〜４のいずれか一項に記載の電子機器。
【請求項６】
前記指示情報は、無線リソース制御シグナリング、媒体アクセス制御−制御要素シグナリング、物理層動的シグナリング、及びブロードキャストメッセージのうちの少なくとも一つにより送信される請求項１〜４のいずれか一項に記載の電子機器。
【請求項７】
前記物理層動的シグナリングは、ダウンリンク制御情報ＤＣＩを含み、且つ、前記ブロードキャストメッセージは、物理ブロードキャストチャネルを介して送信されるシステム通知を含む請求項６に記載の電子機器。
【請求項８】
処理回路を含むユーザー装置用の電子機器であって、
前記処理回路は、
基地局による二つ又は二つよりも多い送受信ポイントを介した多入力多出力伝送を受信し、
前記基地局から、前記二つ又は二つよりも多い送受信ポイントを介して伝送される空間多重化層とコードワードとの間のマッピングスキームに関連する指示情報を受信するように、制御するように配置されている、電子機器。
【請求項９】
ユーザー装置に用いられる無線通信方法であって、
基地局による二つ又は二つよりも多い送受信ポイントを介した多入力多出力伝送を受信することと、
前記基地局から、前記二つ又は二つよりも多い送受信ポイントを介して伝送される空間多重化層とコードワードとの間のマッピングスキームに関連する指示情報を受信することとを含む無線通信方法。
【請求項１０】
処理回路を含むユーザー装置側に用いられる電子機器であって、
前記処理回路は、
基地局による二つ又は二つよりも多い送受信ポイントを介した多入力多出力伝送を受信するように、制御し、
前記多入力多出力伝送のダウンリンクチャネル状態に基づいて、前記二つ又は二つよりも多い送受信ポイントを介して伝送される空間多重化層とコードワードとの間のマッピングスキームを確定し、
前記基地局に、前記マッピングスキームに関する指示情報を送信するように、制御するように配置される電子機器。
【請求項１１】
前記マッピングスキームは、類似しているチャネル品質を有する空間多重化層を、同一のコードワードにマッピングするように確定される請求項１０に記載の電子機器。
【請求項１２】
同一のコードワードにマッピングされた空間多重化層は、異なる送受信ポイントの空間多重化層を含む請求項１１に記載の電子機器。
【請求項１３】
前記指示情報は、前記二つ又は二つよりも多い送受信ポイントの各々についてのランクインデックスを含む請求項１０〜１２のいずれか一項に記載の電子機器。
【請求項１４】
前記指示情報はビットマップをさらに含み、前記ビットマップの長さは前記二つ又は二つよりも多い送受信ポイントのランクインデックスの和である請求項１３に記載の電子機器。
【請求項１５】
ユーザー装置側に用いられる無線通信方法であって、
基地局による二つ又は二つよりも多い送受信ポイントを介した多入力多出力伝送を受信することと、
前記多入力多出力伝送のダウンリンクチャネル状態に基づいて、前記二つ又は二つよりも多い送受信ポイントを介して伝送される空間多重化層とコードワードとの間のマッピングスキームを確定することと、
前記基地局に前記マッピングスキームに関する指示情報を送信することと
を含む無線通信方法。
【請求項１６】
情報処理装置により実行されると、請求項９又は１５に記載の方法を前記情報処理装置に実行させる実行可能な命令を含む、コンピュータ読み取り可能な記録媒体。
【手続補正２】
【補正対象書類名】明細書
【補正対象項目名】００５３
【補正方法】変更
【補正の内容】
【００５３】
【表３】
2021507599.tif 000034
【手続補正３】
【補正対象書類名】明細書
【補正対象項目名】０１１１
【補正方法】変更
【補正の内容】
【０１１１】
例として、ＵＥは、基地局に二つのＲＩをフィードバックしてもよい。図１９に示す例と合わせて、例えば、ＴＲＰ１にフィードバックされたＲＩ＿１は２であり、ＴＲＰ２にフィードバックされたＲＩ＿２は３である。また、ＵＥは、ＲＩ＿１＋ＲＩ＿２の長さのビットマップ(ｂｉｔｍａｐ)を報告してもよく、この例において、００１１０であり、なお、三つの「０」はＣＷ０に割り当てられた三つの層がそれぞれＬ１、Ｌ２、Ｌ５であることを代表し、２つの「１」はＣＷ１に割り当てられた層がＬ３、Ｌ４であることを代表する。
【国際調査報告】
2021507599.tif 000035
2021507599.tif 000036
2021507599.tif 000037
2021507599.tif 000038